【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
外部より受信するチャンネル選択信号に基づいて、連続再生表示すべき複数の画像データを設定する設定方法であって、
複数の画像データ及びこれら画像データの撮影情報を受信するステップと、
受信した複数の画像データを、該撮影情報に含まれる所定の情報を基にグループ化するステップと、
前記チャンネル選択信号の種類と対応付けて、連続再生表示すべきグループを設定するステップと、
からなることを特徴とする設定方法。
【請求項２】
複数の画像データ及びこれら複数の画像データの撮影情報を保存する保存手段と、 
この保存手段によって保存された前記複数の画像データをこれら画像データの撮影情報に含まれる所定の情報を基にグループ化するグループ化手段と、
チャンネル選択信号の種類と対応付けて、連続再生表示すべきグループを設定する設定手段と、
チャンネル選択信号を受信する信号受信手段と、
この信号受信手段によって受信したチャンネル選択信号の種類に対応するグループの複数の画像データを展開し、連続再生表示するよう制御する制御手段と、
を備えたことを特徴とする画像データ保存装置。
【請求項３】
外部より複数の画像データ及びこれら複数の画像データの撮影情報を受信する画像データ受信手段と、
この画像データ受信手段によって受信された複数の画像データ及び前記複数の画像データの撮影情報を前記保存手段に保存するよう制御する保存制御手段と、
を更に備えたことを特徴とする請求項２に記載の画像データ保存装置。
【請求項４】
前記信号受信手段は、近距離通信によりチャンネル選択信号を受信することを特徴とする請求項２又は３に記載の画像データ保存装置。
【請求項５】
表示手段と、
前記制御手段による制御に基づき複数の画像データを連続再生表示するよう前記表示手段を制御する表示制御手段と、
を更に備えたことを特徴とする請求項２乃至４の何れかに記載の画像データ保存装置。
【請求項６】
複数の画像データ及びこれら複数の画像データの撮影情報を保存する保存メモリとチャンネル信号受信部とを備える画像データ保存装置のコンピュータを、
前記保存メモリに保存された複数の画像データをこれら画像データの撮影情報に含まれる所定の情報を基にグループ化するグループ化手段、
チャンネル選択信号の種類と対応付けて、連続再生表示すべきグループを設定する設定手段、
このチャンネル信号受信部により受信したチャンネル選択信号の種類に対応するグループの複数の画像データを展開し、連続再生表示するよう制御する制御手段、
として機能させることを特徴とするプログラム。
【手続補正２】
【補正対象書類名】明細書
【補正対象項目名】発明の名称
【補正方法】変更
【補正の内容】
【発明の名称】設定方法、画像データ保存装置、及び、プログラム
【手続補正３】
【補正対象書類名】明細書
【補正対象項目名】０００１
【補正方法】変更
【補正の内容】
【０００１】
本発明は、撮影した画像データをテレビジョン受信機などで連続再生するための設定方法、画像データ保存装置、及び、プログラムに関する。
【手続補正４】
【補正対象書類名】明細書
【補正対象項目名】０００８
【補正方法】変更
【補正の内容】
【０００８】
本発明は、撮影した画像データを、テレビジョン受信機などを用いて簡単に連続再生することのできる設定方法、画像データ保存装置、及び、プログラムの提供を目的とする。
【手続補正５】
【補正対象書類名】明細書
【補正対象項目名】０００９
【補正方法】変更
【補正の内容】
【０００９】
上記課題を解決するために、請求項１に記載の発明は、外部より受信するチャンネル選択信号に基づいて、連続再生表示すべき複数の画像データを設定する設定方法であって、複数の画像データ及びこれら画像データの撮影情報を受信するステップと、受信した複数の画像データを、該撮影情報に含まれる所定の情報を基にグループ化するステップと、前記チャンネル選択信号の種類と対応付けて、連続再生表示すべきグループを設定するステップと、からなることを特徴とする。
【手続補正６】
【補正対象書類名】明細書
【補正対象項目名】００１０
【補正方法】変更
【補正の内容】
【００１０】
また、上記課題を解決するために、請求項２に記載の発明は、複数の画像データ及びこれら複数の画像データの撮影情報を保存する保存手段と、この保存手段によって保存された前記複数の画像データをこれら画像データの撮影情報に含まれる所定の情報を基にグループ化するグループ化手段と、チャンネル選択信号の種類と対応付けて、連続再生表示すべきグループを設定する設定手段と、チャンネル選択信号を受信する信号受信手段と、この信号受信手段によって受信したチャンネル選択信号の種類に対応するグループの複数の画像データを展開し、連続再生表示するよう制御する制御手段と、を備えたことを特徴とする。
【手続補正７】
【補正対象書類名】明細書
【補正対象項目名】００１１
【補正方法】変更
【補正の内容】
【００１１】
また、請求項３に記載の発明は、上記請求項２に記載の発明において、外部より複数の画像データ及びこれら複数の画像データの撮影情報を受信する画像データ受信手段と、この画像データ受信手段によって受信された複数の画像データ及び前記複数の画像データの撮影情報を前記保存手段に保存するよう制御する保存制御手段と、を更に備えたことを特徴とする。
【手続補正８】
【補正対象書類名】明細書
【補正対象項目名】００１２
【補正方法】変更
【補正の内容】
【００１２】
また、請求項４に記載の発明は、上記請求項２又は３に記載の発明において、前記信号受信手段は、近距離通信によりチャンネル選択信号を受信することを特徴とする。
【手続補正９】
【補正対象書類名】明細書
【補正対象項目名】００１３
【補正方法】変更
【補正の内容】
【００１３】
また、請求項５に記載の発明は、上記請求項２乃至４の何れかに記載の発明において、表示手段と、前記制御手段による制御に基づき複数の画像データを連続再生表示するよう前記表示手段を制御する表示制御手段と、を更に備えたことを特徴とする。
【手続補正１０】
【補正対象書類名】明細書
【補正対象項目名】００１４
【補正方法】変更
【補正の内容】
【００１４】
また、上記課題を解決するために、請求項６に記載の発明は、複数の画像データ及びこれら複数の画像データの撮影情報を保存する保存メモリとチャンネル信号受信部とを備える画像データ保存装置のコンピュータを、前記保存メモリに保存された複数の画像データをこれら画像データの撮影情報に含まれる所定の情報を基にグループ化するグループ化手段、チャンネル選択信号の種類と対応付けて、連続再生表示すべきグループを設定する設定手段、このチャンネル信号受信部により受信したチャンネル選択信号の種類に対応するグループの複数の画像データを展開し、連続再生表示するよう制御する制御手段、として機能させることを特徴とする。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
本発明によれば、複数の画像データをこの画像データの撮影情報に含まれる所定の情報を基にグループ化し、受信し得るチャンネル選択信号の種類と対応付けて、連続再生表示すべきグループを設定するので、撮影した画像データを、テレビジョン受信機などを用いて簡単に連続再生することができる。